(57)【要約】【課題】部品点数が少なく、コストを安価とすることができ、しかも、組み立てや折り畳みを、滑らかな動きによって、ワンタッチで簡単に行うことができるものである。【解決手段】下部連結部４として、一対の支柱５、５下部の両側に設けられた連結板１３、１３に対して、干し器本体部１の前後に、当接部１１、１１が外側を向くように、一対の支持杆１２、１２が平行に配され、支持杆１２、１２の折曲部１２ａ、１２ａが回動自在に枢着されており、支持杆１２、１２の当接部１１、１１を内側に回転させると、当接部１１、１１が、干し器本体部１の支柱５、５を前後から挟み込んで、一対の支持杆１２、１２の本体１０、１０が、側面視ハの字状に当接支持されて、組み立て状態に保持されるものである。【選択図】図１
2009172070.tif 000002
【特許請求の範囲】
【請求項１】
一対の支柱が離間して平行に配された干し器本体部と、
前記干し器本体部の上部に設けられた物干し部と、
前記一対の支柱と同じ幅に設定された略Ｕ字状部材の両先端部が、同じ方向にくの字状に折曲されて、本体の両端部に当接部が形成された一対の支持杆を用いた支持脚と、
前記干し器本体部の支柱下部に設けられた下部連結部を備え、
前記下部連結部として、一対の支柱下部の両側に設けられた連結板に対して、干し器本体部の前後に、当接部が外側を向くように、一対の支持杆が平行に配され、支持杆の折曲部が回動自在に枢着されており、支持杆の当接部を内側に回転させると、当接部が、干し器本体部の支柱を前後から挟み込んで、一対の支持杆の本体が、側面視ハの字状に当接支持されて、組み立て状態に保持されることを特徴とする布団干し器。
【請求項２】
一対の支柱と同じ幅に設定された略Ｕ字状部材の両先端部が、同じ方向にくの字状に折曲されて、本体の両端部に当接部が形成された一対の干し杆よりなる物干し部を用いるとともに、干し器本体部の支柱の上部に上部連結部として、一対の支柱上部の両側に設けられた連結板に対して、干し器本体部の前後に、当接部が外側を向くように、一対の干し杆が平行に配され、干し杆の折曲部が回動自在に枢着されており、干し杆の当接部を内側に回転させると、当接部が、干し器本体部の支柱を前後から挟み込んで、一対の干し杆の本体が、側面視ハの字状に当接支持されて、組み立て状態に保持されることを特徴とする請求項１記載の布団干し器。
【発明の詳細な説明】
【技術分野】
【０００１】
本発明は、例えば、マンションなどの室内で、布団を干すために用いられる布団干し器に関し、更に詳しくは、組み立てや折り畳みを簡単に行える布団干し器に関するものである。
【背景技術】
【０００２】
従来の布団干し器としては、第１支柱支持体２と第２支柱支持体３とを竿連結アーム４１、中間連結アーム４２、ベース連結アーム４３で連結されたものがある。更に、第１支柱２１、第１ベースアーム２２、第１筋交いアーム２３とは相互の交点を回転軸で、回転可能に連結され、三角形のリンクを構成し、第１支柱２１と第１筋交いアーム２３とは第１支柱２１をスライド自在に移動する第１スライドジョイント２４を介して連結されている。そして、第１スライドジョイント２４を第１支柱２１の先端側へスライドさせると、第１筋交いアーム２３と第１ベースアーム２２とが第１支柱２１へ接近し、これらがほぼ一直線上となり、コンパクトに折り畳むことができる。（例えば、特許文献１参照。）。
【０００３】
【特許文献１】実用新案登録第３０９８０３６号公報（図１及び図２）
【発明の開示】
【発明が解決しようとする課題】
【０００４】
しかし、特許文献１では、三角形のリンクを構成するため、三箇所において、回転軸で枢着する必要があり（合計６箇所で枢着）、また、第１支柱２１と第１筋交いアーム２３とは第１支柱２１をスライド自在に移動する第１スライドジョイント２４を介して連結されているため、構造的に複雑となり、コストも高くならざるを得なかった。また、折り畳んだり、組み立てる際に、第１支柱２１表面に対して、第１スライドジョイント２４をスライドさせて移動される必要があるため、摩擦等によって、スライドがうまく行えないといった問題点もあった。
【０００５】
そこで、本発明は、このような課題を解決するためになされたものであり、部品点数が少なく、コストを安価とすることができ、しかも、組み立てや折り畳みを、滑らかな動きによって、ワンタッチで簡単に行うことができる布団干し器を提供することを目的とする。
【課題を解決するための手段】
【０００６】
本発明に係る布団干し器は、一対の支柱が離間して平行に配された干し器本体部と、前記干し器本体部の上部に設けられた物干し部と、前記一対の支柱と同じ幅に設定された略Ｕ字状部材の両先端部が、同じ方向にくの字状に折曲されて、本体の両端部に当接部が形成された一対の支持杆を用いた支持脚と、前記干し器本体部の支柱下部に設けられた下部連結部を備え、前記下部連結部として、一対の支柱下部の両側に設けられた連結板に対して、干し器本体部の前後に、当接部が外側を向くように、一対の支持杆が平行に配され、支持杆の折曲部が回動自在に枢着されており、支持杆の当接部を内側に回転させると、当接部が、干し器本体部の支柱を前後から挟み込んで、一対の支持杆の本体が、側面視ハの字状に当接支持されて、組み立て状態に保持されることを特徴とするものである。
【０００７】
更に、一対の支柱と同じ幅に設定された略Ｕ字状部材の両先端部が、同じ方向にくの字状に折曲されて、本体の両端部に当接部が形成された一対の干し杆よりなる物干し部を用いるとともに、干し器本体部の支柱の上部に上部連結部として、一対の支柱上部の両側に設けられた連結板に対して、干し器本体部の前後に、当接部が外側を向くように、一対の干し杆が平行に配され、干し杆の折曲部が回動自在に枢着されており、干し杆の当接部を内側に回転させると、当接部が、干し器本体部の支柱を前後から挟み込んで、一対の干し杆の本体が、側面視ハの字状に当接支持されて、組み立て状態に保持されることを特徴とするものである方が好ましい。
【発明の効果】
【０００８】
請求項１に係る布団干し器によれば、脚としての構造が、二本の支持杆が、連結板の４箇所に枢着された簡単な構造であるため、部品点数が少なく、コストを安価とすることができる。
また、組み立てや折り畳みを、支持脚の支持杆を回動させるだけで行うことができるので、滑らかな動きによって、ワンタッチで且つ簡単に行うことができる。
【０００９】
請求項２に係る布団干し器によれば、物干し部も、組み立て時には、一対の物干し杆の本体を側面視ハの字状に広げることができるので、布団を大きく広げて、効率よく乾燥させることができる。
そして、折り畳み時には、支持脚における一対の支持杆の本体及び物干し部における一対の物干し杆の本体がそれぞれ平行に配された状態となり、コンパクトな状態に折り畳むことができる。
【発明を実施するための最良の形態】
【００１０】
本発明の実施の形態を添付図面に基づいて説明する。
まず、図１〜図５は、本発明の第１実施の形態に係る布団干し器に関するものであり、図１は、使用状態を示す斜視図、図２は、組み立て時の側面図、図３は、折り畳み時の側面図、図４は、連結部の分解斜視図、図５は、物干し部の拡大斜視図である。
【００１１】
布団干し器Ａは、図１に示すように、干し器本体部１と、物干し部２と、支持脚３と、下部連結部４とで構成されている。
【００１２】
干し器本体部１は、一対の支柱５、５が離間して平行に配されたものである。支柱５には、中空の金属製の丸パイプが用いられている。
【００１３】
物干し部２は、前記干し器本体部１の上部に設けられ、布団を干すために用いられるものであり、中空の金属製の丸パイプを略Ｕ字状に折り曲げた物干し杆６が用いられている。
物干し杆６は、図５に示すように、前記干し器本体部１の支柱５と支柱５の幅と、同じ幅に設定されている。そして、物干し杆６の外径は、支柱５の内径より小径に設定されており、物干し杆６の両端部を、支柱５、５内に挿入して、支柱５、５に対して物干し杆６が上下にスライド可能に取り付けられている。更に、支柱５の上端部には、連結ソケット７が設けられており、固定ボルト８の締め付けによって、物干し杆６を支柱５、５に対して固定できる構造となっている。
なお、９は、布団がズレ落ちないようにするための係止突部である。
【００１４】
支持脚３は、脚として用いられるものであり、前記一対の支柱５、５と同じ幅に設定され、略Ｕ字状の中空の金属製の丸パイプの両先端部を、同じ方向にくの字状に折曲させて、本体１０の両端部に真っ直ぐな当接部１１が形成された一対の支持杆１２、１２が用いられている。
【００１５】
下部連結部４は、図３に示すように、一対の支柱５、５下部の両外側面（内側面でもよい）に連結板１３が設けられており、この連結板１３に対して、干し器本体部１の前後に、当接部１１が外側（支柱５と反対側）を向くように、一対の支持杆１２、１２の本体１０、１０を平行に配し、そして、支持杆１２の折曲部１２ａと、連結板１３の両側に、設けられた貫通孔１４にボルト１５を通して、ワッシャ１６、ナット１７で取り付けることにより、支持杆１２の折曲部１２ａが連結板１３に枢着されており、支持杆１２の当接部１１を内側（支柱５側）に回転させると、支持杆１２、１２の当接部１１、１１が、干し器本体部１の支柱５，５を前後から挟み込んで、一対の支持杆１２、１２の本体１０、１０が側面視ハの字状に当接支持されて、組み立て状態に保持されるものである。
【００１６】
なお、上述した布団干し器Ａでは、干し器本体部１、物干し部２、支持脚３に、中空の金属製の丸パイプが用いられているが、丸パイプの代わりに角パイプを用いてもよく、また、中実であってもよい。
また、支持杆１２は、略Ｕ字状の部材を折り曲げて当接部１１、１１を形成しているが、本体１０に、別部材の当接部１１、１１を取り付けたものであってもよい。或いは、ロ字状の部材を折り曲げて当接部１１、１１を形成したものであってもよい。
更に、上述した布団干し器Ａでは、支持杆１２の当接部１１を真っ直ぐに形成しているため、この当接部１１が、全て支柱５に沿って当接するようにしているが、当接部１１の一部が当接する構造のものであってもよい。
【００１７】
このように、布団干し器Ａでは、図３に示すように、支持杆１２の折曲部１２ａが連結板１３に枢着され、支持杆１２、１２が回動自在に取り付けられている。よって、組み立て時では、支持杆１２、１２の当接部１１、１１を内側に回転させると、支持杆１２、１２の当接部１１、１１が、干し器本体部１の支柱５を前後から挟み込んで、一対の支持杆１２、１２の本体１０、１０が、側面視ハの字状に当接支持されて、床面に設置すると、支持杆１２、１２が開く方向に力が働き、組み立て状態に保持される。この状態で、図１に示すように、マンションなどの室内で、布団干し器Ａの物干し部２に布団を掛けて、干すことができる。また、布団の代わりに、洗濯物を干すことも可能である。
更に、組み立て状態から、折り畳み状態に変更する場合、図３に示すように、布団干し器Ａを上方に持ち上げると、支持杆１２、１２が自重によって、矢印方向に回転し、当接部１１が外側を向くように、一対の支持杆１２、１２の本体１０、１０が平行に配された状態となり、コンパクトな状態に折り畳むことができる。よって、ベッドの下等の狭いスペースに収納することが可能となる。
また、折り畳み状態から組み立て状態に変更する場合、支持杆１２、１２の本体１０、１０を手で外側に広げると、支持杆１２の当接部１１が、干し器本体部１の支柱５を前後から挟み込んで、一対の支持杆１２、１２の本体１０、１０が、側面視ハの字状に開いて当接支持されのであり、このままで床面に設置すると、支持杆１２、１２が開く方向に力が働き、組み立て状態に保持される。
尚、特に、図示していないが、この組み立て状態において、支柱５と当接部１１、１１をベルトで被い、面ファスナー等で止着して固定する方がより好ましい。こうすることによって、布団干し器Ａに衝撃が加わっても、当接状態が解かれて、布団干し器Ａが倒れたりすることがない。
【００１８】
よって、上記構造の布団干し器Ａによれば、脚としての構造が、二本の支持杆１２、１２が、連結板１３の４箇所で枢着された簡単な構造であるため、部品点数が少なく、コストを安価とすることができる。
また、布団干し器Ａの組み立てや折り畳みを、支持脚３の支持杆１２、１２を回動させるだけで行うことができるので、滑らかな動きによって、ワンタッチで且つ簡単に行うことができる。
【００１９】
次に、図６及び図７は、第２実施の形態に係る布団干し器に関するものであり、図６は、組み立て時の斜視図、図７は、折り畳み時の側面図である。
【００２０】
布団干し器Ｂは、図６に示すように、干し器本体部１と、物干し部２と、支持脚３と、下部連結部４と、上部連結部２０とで構成されている。布団干し器Ａと比較すると、布団干し器Ｂは、上部連結部２０が設けられ、物干し部２の構造が異なるものである。
【００２１】
布団干し器Ｂは、物干し部２にも、支持脚３と同じ構造が採用されている。即ち、物干し部２は、図６及び図７に示すように、干し器本体部１の支柱５と支柱５の幅と同じ幅に設定され、略Ｕ字状に折り曲げられた中空の金属製の丸パイプの両先端部が、同じ方向にくの字状に折曲されて、本体１８の両端部に当接部１９が形成された一対の物干し杆６、６が用いられたものである。また、干し器本体部１の支柱５の上部には、上部連結部２０が設けられている。
上部連結部２０は、一対の支柱５、５上部の両外側面（内側面でもよい）に設けられた連結板１３に対して、干し器本体部１の前後に、当接部１９が外側（支柱５と反対側）を向くように、一対の物干し杆６、６の本体１８、１８が平行に配され、物干し杆６の折曲部６ａが、下部連結部４と同様に、ボルト、ワッシャ、ナットを用いて、回動自在に枢着されており、物干し杆６、６の当接部１９、１９を内側（支柱５側）に回転させると、当接部１９、１９が、干し器本体部１の支柱５を前後から挟み込んで、一対の物干し杆６の本体１８、１８が、側面視ハの字状に当接支持されて、組み立て状態に保持される。
即ち、布団干し器Ｂでは、図６に示すように、物干し部２も、組み立て時には、一対の物干し杆６の本体１８、１８を側面視ハの字状に広げることができるので、布団を大きく広げて、効率よく乾燥させることができる。
そして、折り畳み時には、図７に示すように、支持脚３における一対の支持杆１２、１２の本体１０、１０及び物干し部２における一対の物干し杆６の本体１８、１８が平行に配された状態となり、コンパクトな状態に折り畳むことができる。
【図面の簡単な説明】
【００２２】
【図１】本発明の第１実施の形態に係る布団干し器の使用状態を示す斜視図である    。
【図２】同じく、組み立て時の側面図である。
【図３】同じく、折り畳み時の側面図である。
【図４】同じく、連結部の分解斜視図である。
【図５】同じく、物干し部の拡大斜視図である。
【図６】第２実施の形態に係る布団干し器の組み立て時の斜視図である。
【図７】同じく、折り畳み時の側面図である。
【符号の説明】
【００２３】
Ａ  布団干し器
Ｂ  布団干し器
１  干し器本体部
２  物干し部
３  支持脚
４  下部連結部
５  支柱
６  物干し杆
７  連結ソケット
８  固定ボルト
９  係止突部
１０  本体
１１  当接部
１２  支持杆
１３  連結板
１４  貫通孔
１５  ボルト
１６  ワッシャ
１７  ナット
１８  本体
１９  当接部
２０  上部連結部
【図１】
2009172070.tif 000003
【図２】
2009172070.tif 000004
【図３】
2009172070.tif 000005
【図４】
2009172070.tif 000006
【図５】
2009172070.tif 000007
【図６】
2009172070.tif 000008
【図７】
2009172070.tif 000009